(57)【特許請求の範囲】
【請求項１】
断熱壁の内側に仕切部材にて貯蔵室と冷却室とを区画形成すると共に、前記冷却室内に冷却器と送風機を設け、前記冷却器にて冷却された冷気を前記送風機にて吸引し、前記貯蔵室内に吐出して成る冷却貯蔵庫において、
前記仕切部材から前記貯蔵室側に突出形成された一対の取付脚と、
各取付脚の外縁より連続して形成され、当該取付脚と間隔を存して対向する弾性挟持辺と、
この弾性挟持辺から前記取付脚側に突出する係合突起と、
前記冷却器と送風機間における前記仕切部材の前記貯蔵室側に取り付けられた温度計と、
この温度計の両側部に形成された係合凹部と、
この温度計及びまたは前記係合突起に形成された傾斜面と、
前記温度計の近傍に位置して前記仕切部材に形成された透孔とを備え、
前記傾斜面に沿って前記温度計を前記取付脚と弾性挟持辺間に挿入した状態で、前記係合突起は前記係合凹部に係合することを特徴とする冷却貯蔵庫。
【発明の詳細な説明】
【０００１】
【産業上の利用分野】
本発明は、断熱壁内に仕切部材によって貯蔵室と冷却室とを構成し、この冷却室内に冷却器と送風機とを設けて、この冷却器により冷却された冷気を送風機にて吸引し、貯蔵室内に吐出する冷却貯蔵庫に関するものである。
【０００２】
【従来の技術】
従来よりこの種冷却貯蔵庫には、例えば実開平２−１６０３４号公報（Ｇ０１Ｋ７／００）に示される如く、貯蔵室内の温度を表示する温度計が取り付けられている。次に、図１０を用いて係る従来の冷却貯蔵庫１０１の構造について説明する。
【０００３】
冷却貯蔵庫１０１は、前面に開口した断熱箱体１０５（断熱壁）から構成されており、この断熱箱体１０５は鋼板製の外箱１０２と、この外箱１０２内に間隔を存して組み込まれた鋼鈑若しくは硬質合成樹脂製の内箱１０３と、両箱１０２、１０３の開口縁を接続する樹脂製のブレーカ１０４と、これら両箱１０２、１０３及びブレーカ１０４で囲繞された空間内に発泡充填された発泡ポリウレタンから成る断熱材１０６とから構成されている。
【０００４】
この断熱箱体１０５内上部には仕切部材としての露受板１０７が架設されており、この露受板１０７の上方に冷却室１０８が、下方に貯蔵室１０９が区画形成されている。そして、上記露受板１０７上の冷却室１０８内には前側に冷却装置に含まれる冷却器１１１が、その後側に送風機１１２がそれぞれ設置されている。この送風機１１２の下側に対応する位置の露受板１０７には吐出口１１３が形成され、この吐出口１１３の貯蔵室１０９側には吐出口ガード１１４が取り付けられている。そして、この吐出口ガード１１４の前端にはアルコール温度計１１０が取り付けられている。
【０００５】
一方、露受板１０７下方の貯蔵室１０９内にはビールなどの商品を陳列するための棚１２１が支柱１２２に支持されて架設されている。また、冷却室１０８の前方には樹脂製の上レール部材１２３が、露受板１０７と間隔を存し、下方に延在して取り付けられており、この上レール部材１２３と断熱箱体１０５間には蛍光灯１２４が収納され、その前方にはシェード１２６が取り付けられている。貯蔵室１０９の前面開口は上記上レール部材１２３と図示しない下レール部材間に嵌め込まれた引き戸式ガラス扉１２７、１２８にて開閉自在に閉塞される。
【０００６】
上レール部材１２３と露受板１０７間には吸込口１３１が構成されると共に、上レール部材１２３の後面（冷却室１０８側）には断熱材１３２が貼り付けられている。
【０００７】
そして、前記冷却装置と送風機１１２が運転されると、冷却器１１１が冷却作用を発揮し、冷却器１１１にて冷却された冷却室１０８内の冷気は送風機１１２にて吸引され、吐出口１１３から図中矢印の如く下方の貯蔵室１０９内に吐出される。貯蔵室１０９内を循環し、前記棚１２１上のビールなどを冷却した冷気は、図中矢印の如く露受板１０７前端部の吸込口１３１から冷却室１０８内に帰還する循環を行う。
【０００８】
【発明が解決しようとする課題】
そして、前記温度計１１０はその周囲の冷気の温度を感知して表示するものであるが、貯蔵室１０９の上部に取り付けられている関係上、比較的高い温度を表示してしまい、実際の商品（前記ビール）の温度と表示に差が生じてしまっていた。そこで、貯蔵室１０９に吐出される冷気に晒されるように前記吐出口ガード１１４の中央付近に取り付けると、今度は吐出冷気の障害となり、冷気循環特性が悪化したり、騒音の元となる問題が生じる。
【０００９】
本発明は、係る従来の技術的課題を解決するために成されたものであり、仕切部材に取り付けた温度計により貯蔵室内の温度を的確に表示することができる冷却貯蔵庫を提供することを目的とする。
【００１０】
【課題を解決するための手段】
本発明の冷却貯蔵庫は、断熱壁の内側に仕切部材にて貯蔵室と冷却室とを区画形成すると共に、冷却室内に冷却器と送風機を設け、冷却器にて冷却された冷気を送風機にて吸引し、貯蔵室内に吐出して成るものであって、仕切部材から貯蔵室側に突出形成された一対の取付脚と、各取付脚の外縁より連続して形成され、当該取付脚と間隔を存して対向する弾性挟持辺と、この弾性挟持辺から取付脚側に突出する係合突起と、冷却器と送風機間における仕切部材の貯蔵室側に取り付けられた温度計と、この温度計の両側部に形成された係合凹部と、この温度計及びまたは係合突起に形成された傾斜面と、温度計の近傍に位置して仕切部材に形成された透孔とを備え、傾斜面に沿って温度計を取付脚と弾性挟持辺間に挿入した状態で、係合突起は係合凹部に係合するものである。
【００１１】
【作用】
本発明の冷却貯蔵庫によれば、冷却器と送風機間における仕切部材の貯蔵室側に温度計を取り付け、この温度計の近傍に位置して仕切部材に透孔を形成したので、貯蔵室に吐出された冷気の一部がショートサイクルして温度計の周囲を通過した後、透孔から冷却室内に吸引されるようになる。従って、温度計周囲の温度が低下せられ、それによって、温度計により収納物品の温度、若しくは、それに近い温度を的確に表示することができるようになる。
【００１２】
また、仕切部材に温度計を取り付ける際、仕切部材に突出形成した取付脚とそれに連続して形成した弾性挟持辺との間に、傾斜面を利用して温度計を挿入するのみで、弾性挟持辺はその弾性により押し退けられ、所定位置にて係合突起が温度計の係合凹部に係合することにより、温度計は各取付脚間に保持される。従って、仕切部材への温度計の着脱作業が著しく容易となり、組立作業性が一段と向上するものである。
【００１３】
【実施例】
以下、図面に基づき本発明の実施例を詳述する。図１は本発明の実施例の冷却貯蔵庫１の斜視図、図２は冷却貯蔵庫１の縦断側面図、図３は露受板７の斜視図、図４は露受板７の俯瞰斜視図である。
【００１４】
実施例の冷却貯蔵庫１は、コンビニエンスストアやスーパーマーケットの店舗にてビールなどの商品を冷却しながら陳列するショーケースであり、前面に開口した断熱箱体５（断熱壁）から構成されている。この断熱箱体５は鋼板製の外箱２と、この外箱２内に間隔を存して組み込まれた鋼鈑若しくは硬質合成樹脂製の内箱３と、両箱２、３の開口縁を接続する樹脂製のブレーカ４と、これら両箱２、３及びブレーカ４で囲繞された空間内に発泡充填された発泡ポリウレタンから成る断熱材６とから構成されている。
【００１５】
この断熱箱体５内上部には仕切部材としての硬質合成樹脂製露受板７が架設されており、この露受板７の上方に冷却室８が、下方に貯蔵室９が区画形成されている。そして、上記露受板７上の冷却室８内には前側に冷却装置に含まれる冷却器１１が、その後側にプロペラファンから成る送風機１２がそれぞれ設置されている。尚、１２Ｍは送風機１２を駆動するモータである。
【００１６】
この送風機１２の下側に対応する位置の露受板７には吐出口１３が形成され、この吐出口１３には貯蔵室９側に突出して吐出口ガード１４が露受板７と一体に成形されている。
【００１７】
一方、露受板７下方の貯蔵室９内にはビールなどの商品を陳列するための棚２１・・が支柱２２に支持されて複数段架設されている。また、冷却室８の前方には樹脂製の上レール部材２３が、露受板７と間隔を存し、下方に延在して取り付けられており、この上レール部材２３と断熱箱体５間には蛍光灯２４が収納され、その前方にはシェード２６が取り付けられている。貯蔵室９の前面開口は上記上レール部材２３と図１に示す下レール部材２５間に嵌め込まれた引き戸式ガラス扉２７、２８にて開閉自在に閉塞される。
【００１８】
そして、上レール部材２３と露受板７間には吸込口３１が構成されると共に、上レール部材２３の後面（冷却室８側）には、断熱材３２が貼り付けられている。
【００１９】
ここで、前記露受板７には図３及び図４に示す如く、前記冷却器１１と送風機１２の間に位置して矩形状の透孔３６、３７が左右に所定間隔を存してそれぞれ形成されてり、各透孔３６、３７の吐出口１３側縁（後縁）には下方の貯蔵室９側に突出する一対の取付脚３８、３９が、露受板７とそれぞれ一体に形成されている。
【００２０】
各取付脚３８、３９の下部外縁からは側辺４４、４５が前方に延在して一体に連続形成されており、各側辺４４、４５の前端からは内側に折り返された弾性挟持辺４１、４２が連続して形成され、各弾性挟持辺４１、４２は各取付脚３８、３９の前方に所定の間隔を存してそれぞれ対向している。また、各弾性挟持辺４１、４２には、図５に示す如く対向する取付脚３８、３９側（後方）に突出する係合突起（リブ）４３、４３がそれぞれ一体に形成されており、各係合突起４３、４３の先端部には取付脚３８、３９側に低く傾斜した傾斜面４３ａがそれぞれ形成されている。
【００２１】
他方、４６はアルコール温度計であり、断面半円状を呈してその湾曲した前面中央に表示部４６ａを有している。また、温度計４６の左右寸法は前記各取付脚３８、３９の側辺４４、４５間の間隔よりも少許小さい値とされており、前記各係合突起４３、４３に対応する位置の左右両側前面下部には、それぞれ係合凹部４６ｂ、４６ｂが形成されている。
【００２２】
係る温度計４６を取り付ける際には、図６から図７に矢印で示す如く湾曲した前面を前側とした状態で、各側辺４４、４５間における各取付脚３８、３９と弾性挟持辺４１、４２間に挿入する。するとやがて温度計４６の湾曲した前面下部の両側が係合突起４３、４３の傾斜面４３ａ、４３ａに当接する。更にこの傾斜面４３ａ、４３ａに沿って温度計４６を押し込んで行くと、弾性挟持辺４１、４２は前記傾斜面４３ａ、４３ａと温度計４６下部の湾曲形状によって案内され、その弾性により図８中矢印の如く前側に押し退けられて退避する。
【００２３】
そして、係合凹部４６ｂ、４６ｂが係合突起４３、４３のところまで到達すると、弾性挟持辺４１、４２は元の形に復帰し、係合突起４３、４３は係合凹部４６ｂ、４６ｂ内に進入して係合する。尚、温度計４６を取り外す場合には図５に示す如く弾性挟持辺４１、４２を前側に変形させて係合突起４３、４３と係合凹部４６ｂ、４６ｂとの係合を解除する。
【００２４】
これによって、温度計４６は各取付脚３８、３９間に渡って保持され、露受板７の貯蔵室９側に着脱可能に取り付けられる。このとき、温度計４６の上方近傍には前記透孔３６、３７が位置することになる。
【００２５】
そして、前記冷却装置と送風機１２が運転されると、冷却器１１が冷却作用を発揮し、冷却器１１にて冷却された冷却室８内の冷気は送風機１２にて吸引され、吐出口１３から図２中実線矢印の如く下方の貯蔵室９内に吐出される。貯蔵室９内を循環し、前記棚２１上のビールなどを冷却した冷気は、図中実線矢印の如く露受板７前端部の吸込口３１から冷却室８内に帰還する循環を行う。
【００２６】
一方、露受板７の各透孔３６、３７は送風機１２の吸い込み側に位置している関係上、送風機１２の運転によって露受板７の下側の貯蔵室９内冷気が各透孔３６、３７から吸い込まれる（全体に比較すれば少量）。係る吸引作用により、吐出口１３から吐出された冷気の一部は、図中破線矢印で示す如くショートサイクルして温度計４６の周囲を通過した後、透孔３６、３７から冷却室８内に吸引されるようになる。
【００２７】
これによって、温度計４６の周囲の温度が低下せられるので、温度計４６により実際に冷却されている上記ビールの温度、若しくは、それに近い温度を的確に表示することができるようになる。
【００２８】
尚、実施例では断熱箱体５内の上部に仕切部材としての露受板７を設けて冷却室８と貯蔵室９を上下に区画形成したが、それに限らず、断熱箱体５内の背部に仕切部材としての仕切板を取り付けて、この仕切板に同様の構造を施し、温度計を取り付けるようにしても本発明は有効である。
【００２９】
また、実施例では係合突起４３に傾斜面４３ａを形成したが、温度計４６に実施例の如く湾曲面（傾斜面となる）が存在する場合には、これを傾斜面として係合突起４３側の傾斜面４３ａを省略することも可能である。但し、実施例の如く両方に傾斜面が存在すれば挿入係合は最も容易となる。
【００３０】
更に、実施例ではショーケースである冷却貯蔵庫を例にとって説明したが、それに限らず、業務用・家庭用冷蔵庫などにも本発明が有効であることは云うまでもない。
【００３１】
【発明の効果】
以上詳述した如く本発明によれば、冷却器と送風機間における仕切部材の貯蔵室側に温度計を取り付け、この温度計の近傍に位置して仕切部材に透孔を形成したので、貯蔵室に吐出された冷気の一部がショートサイクルして温度計の周囲を通過した後、透孔から冷却室内に吸引されるようになる。従って、温度計周囲の温度が低下せられ、それによって、温度計により収納物品の温度、若しくは、それに近い温度を的確に表示することができるようになる。
【００３２】
また、仕切部材に温度計を取り付ける際、仕切部材に突出形成した取付脚とそれに連続して形成した弾性挟持辺との間に、傾斜面を利用して温度計を挿入するのみで、弾性挟持辺はその弾性により押し退けられ、所定位置にて係合突起が温度計の係合凹部に係合することにより、温度計は各取付脚間に保持される。従って、ネジなどの格別な取付具を用いること無く温度計を仕切部材に取り付けることができるようになり、仕切部材への温度計の着脱作業が著しく容易となって、組立作業性が一段と向上するものである。
【図面の簡単な説明】
【図１】  本発明の実施例の冷却貯蔵庫の斜視図である。
【図２】  冷却貯蔵庫上部の縦断側面図である。
【図３】  露受板の斜視図である。
【図４】  露受板の俯瞰斜視図である。
【図５】  取付脚の拡大図である。
【図６】  温度計の取付手順を説明する図である。
【図７】  同じく温度計の取付手順を説明する図である。
【図８】  同じく温度計の取付手順を説明する図である。
【図９】  同じく温度計の取付手順を説明する図である。
【図１０】  従来の冷却貯蔵庫上部の縦断側面図である。
【符号の説明】
１  冷却貯蔵庫
５  断熱箱体（断熱壁）
７  露受板（仕切部材）
８  冷却室
９  貯蔵室
１１  冷却器
１２  送風機
３６、３７  透孔
３８、３９  取付脚
４１、４２  弾性挟持辺
４３  係合突起
４３ａ  傾斜面
４６  温度計
４６ｂ  係合凹部
【図１】
0003675882.tif 000002
【図２】
0003675882.tif 000003
【図３】
0003675882.tif 000004
【図４】
0003675882.tif 000005
【図５】
0003675882.tif 000006
【図６】
0003675882.tif 000007
【図７】
0003675882.tif 000008
【図８】
0003675882.tif 000009
【図９】
0003675882.tif 000010
【図１０】
0003675882.tif 000011